(57)【要約】【課題】本発明は、肩の凝った部所、足裏のツボの部所等に当てて、それらの部所に振動を与えて疲れを取り去るために使用する振動式あんま器を提供することを目的とするものである。【解決手段】本発明は、上記の課題を解決するために、内部が中空となり振動式あんま器の蓋を構成するとともに大指圧部の機能を持つ振動指圧部と、内部にモーターを収納し上部内面にネジ山及び下部にネジ山とスイッチ孔を設けた第２連結部と、内部にスイッチ金具を備えたリング状のスイッチと、中空の円柱で上部内面にネジ山及び下部にネジ山を設け電池を収納する機能をもつ第２連結部と、内部が中空となり上部内面にネジ山及び下部内面にスプリングを設け、振動式あんま器の底と小指圧部の機能を備えた指圧部とからなることを特徴とする振動式あんま器の構成である。【選択図】　図１
2004057570.tif 000002
【特許請求の範囲】
【請求項１】
内部が中空である振動指圧部と内部が中空である上握持部と内部が中空で内部にスイッチを取り付けたスイッチ部と内部が中空で下握持部と内部が中空でスプリングを設けた指圧部とを連結し、前記各部の内部の中空に電池で駆動する重りを有するモーターを設けたことを特徴とする振動式あんま器。
【発明の詳細な説明】
【０００１】
【発明が属する技術分野】
本発明は、肩の凝った部所、足裏のツボの部所等に当てて、それらの部所に振動を与えて疲れを取り去るために使用する振動式あんま器の改良に関する発明である。
【０００２】
【従来の技術】
従来、振動機能を備えた小型のあんま器では、体に押しつけて振動させる方法がとられており、また、使用箇所が限定されているものであった。
【０００３】
【発明が解決しようとする課題】
しかしながら、振動式のあんま器を体に押し当てることで振動を促す方法では、あんま器を使用している間は、力を加えているため肩などが疲れやすく、また、使用箇所が限定されているため各部に合ったあんま器を買い揃えなければならなかった。
【０００４】
そこで、本発明では、振動の発生をスイッチ方式にし、２つの指圧部を設けることで使用箇所を１箇所に限定することなく、１台で複数の機能を有する振動式あんま器を提供することを目的とするものである。
【０００５】
【課題を解決するための手段】
本願発明である振動式あんま器は、上記の課題を解決するために、内部が中空である振動指圧部と内部が中空である上握持部と内部が中空で内部にスイッチを取り付けたスイッチ部と内部が中空で下握持部と内部が中空でスプリングを設けた指圧部とを連結し、前記各部の内部の中空に電池で駆動する重りを有するモーターを設けたことを特徴とする振動式あんま器の構成とした。
【０００６】
【実施例】
以下に、添付図面に基づき、本発明である振動式あんま器について詳細に説明する。図１は本発明である振動式あんま器の正面図、図２は本発明である振動式あんま器の縦断面図、図３は本発明である振動式あんま器の分解図、
である。
【０００７】
図１に示すように、本発明である振動式あんま器１は、振動指圧部２と上握持部３とスイッチ部４と下握持部５と指圧部６とモーター７とからなる。前記モーター７は、電池８、８により駆動する。本発明である振動式あんま器１は、略円筒状であり、振動指圧部２の上部と指圧部６の下端部は、半球体に形成されている。
【０００８】
図２及び図３に示すように、本発明である振動式あんま器１を構成する振動指圧部２、上握持部３、スイッチ部４、下握持部５及び指圧部６の内部は中空に形成されていて、各部２、３、４、５、６は螺合することに連結されている。連結後は、中空の筒体となり、前記各部の中空内にモーター７、電池８、８及び等が収納されている。
【０００９】
振動指圧部２の下部には上握持部３が螺合し連結され、前記上握持部３の下部にはスイッチ部４が螺合し連結され、前記スイッチ部４の下部には下握持部５が螺合し連結され、前記下握持部５には指圧部６が螺合し連結されている。
【００１０】
図４は、本発明である振動式あんま器の振動指圧部の正面図、図５は、振動式あんま器の振動指圧部の底面図、図６は、振動式あんま器の振動指圧部の断面図である。
【００１１】
図４、図５及び図６に示すように、振動指圧部２は、上部が略半球体状に丸みを帯びたように形成された押圧部２ａがある。押圧部２ａの下端部の外周部２ｂは、外方に突出してテーパーに形成されている。
【００１２】
そして、外周部２ｂの下方には、上握持部３の上部に螺合できるようにネジ山が外周面に形成されている螺合部２ｃが連設されている。ネジ山が外周面に形成されている螺合部２ｃは上握持部３の上部に形成されているネジ山に螺合する。図６に示すように、振動指圧部２の内部は、中空２ｄとなっている。
【００１３】
図７は本発明である振動式あんま器の上握持部の正面図、図８は本発明である振動式あんま器の上握持部の底面図、図９は本発明である振動式あんま器の上握持部の断面図である。
【００１４】
図７に示すように、上握持部３は、本体３ａ垂下部３ｂと螺合部３ｃとからなる。図８に示すように、本上握持部３は円筒状であるとともに内部は中空に形成されている。
【００１５】
図８に示すように、本体３ａの下部には垂下部３ｂが連設されているとともに垂下部３ｂの下部には螺合部３ｃが連設されていて、螺合部３ｃの下半分の外周面にはネジ山が形成されている。
【００１６】
また、本体３ａの内面の上部には、ネジ山３ｅが形成されている。このネジ山３ｅには、振動指圧部２の螺合部２ｃが螺合されて連結される。符号３ｆは、スイッチを構成する部材を差し込むための横長のスイッチ孔３ｆ及び左右貫通孔３ｇ、３ｈが穿設されている。
【００１７】
図９に示すように、上握持部３の内面の上部は、ネジ山３ｅが形成されていて、前記振動指圧部２の螺合部２ｃに形成されているネジ山が、前記ネジ山３ｅに螺合する。
【００１８】
図１０は本発明である振動式あんま器のスイッチ部の正面図、図１１は振動式あんま器のスイッチ部の底面図、図１２は振動式あんま器のスイッチ部の断面図である。
【００１９】
図１０及び図１１に示すように、スイッチ部４の本体４ａは、リング状の内部４ｃは中空であり、内部４ｃにはスイッチ４ｅが回動できるように取り付けられている。スイッチ４ｅは、略Ｕ字型の金具で、左延長部４ｇ及び右延長部４ｉにそれぞれ　左右凸部４ｊ、４ｋが形成されている。
【００２０】
また、スイッチ４ｅは、本体４ａの内壁面に接触することなく間隔をを設けて設置されており、スイッチ４ｅの中心部の凹部４ｍの箇所で、ネジ４ｂとナット４ｆにより、本体４ａにスライドするように取り付けられている。
【００２１】
図１２に示すように、スイッチ部４を構成する本体４ａは、内部４ｃが中空に形成されていて、本体４ａの内面の上部及び下部には段差４ｄ、４ｈが形成されている。
【００２２】
段差４ｄ、４ｈの直径は、前記内部４ｃの直径よりも若干大きい。　前記、段差４ｄの直径は、前記上握持部３の垂下部３ｂの直径と同じ径であり、段差４ｄの中に垂下部３ｂが嵌入する。
【００２３】
図１３は本発明である振動式あんま器の下握持部の正面図、図１４は本発明である振動式あんま器の下握持部の底面図で、図１５は本発明である振動式あんま器の下握持部の断面図である。
【００２４】
図１３及び図１４に示すように、下握持部５は、本体５ａと本体５ａの上端に起設する起立部５ｂと本体５ａの下端から垂設する下螺合部５ｃとからなる。下螺合部５ｃの外周面にはネジ山が形成されている。
【００２５】
図１３に示すように、本下握持部５は、内部５ｄが中空である円筒状の形状である。起立部５ｂの直径は、本体５ａの直径よりも小径であるとともに、下螺合部５ｃの直径も本体５ａの直径より小径である。
【００２６】
図１５に示すように、下握持部５の本体５ａの上部の内面には、上螺合部５ｅが設けられており、上螺合部５ｅの内面にはネジ山が形成されている。上螺合部５ｅには上握持部３の螺合部３ｃが螺合する。
【００２７】
図１６は本発明である振動式あんま器の指圧部の正面図、図１７は本発明である振動式あんま器の指圧部の平面図、図１８は本発明である指圧部の断面図である。
【００２８】
図１６、図１７及び図１８に示すように、指圧部６は、本体６ａと傾斜部６ｂと押圧部６ｃからなる。本体６ａの下部に傾斜部６ｂが連設されているとともに、傾斜部６ｂの下部に半球体状の押圧部６ｃが連設されている。
【００２９】
図１６に示すように、本体６ａは、本体６ａの上部の外径が大きく本体６ａの下部が小径で小さく形成されている。傾斜部６ｂもまた上部の径が大きく下部の径が小さく形成されている。そして、前記傾斜部６ｂの下には押圧部６ｃが形成されている。
【００３０】
図１７及び図１８に示すように、本体６ａの内部は中空であり、本体６ａの上部の内面には螺合部６ｆが設けてあり、螺合部６ｆの内周面には、ネジ山が設けてある。この螺合部６ｆには下握持部５の下螺合部５ｃが螺合する。
【００３１】
図１８に示すように、本体６ａの内部に設けられた螺合部６ｆの下には、段差部６ｄが形成されていて、内部６ｇの中空の径は、螺合部６ｆの径よりも小径に形成されている。
【００３２】
また、図１８に示すように、本体６ａの押圧部６ｃの内部の下方には、外周面に凹凸が形成されているとともに円筒状の取付部材６ｈが嵌入されていて、取付部材６ｈの上部にスプリング６ｅが取り付けられている。
【００３３】
図１９は、本発明である振動式あんま器内に設置するモーターの正面図である。モーター７は、本体７ａと本体７ａの内部に回転可能に取り付けられている回転軸７ｄと回転軸７ｄの上部に固定されている回転して振動を発生させる重り７ｃと駆動するために電気を送る通電部７ｅとからなる。
【００３４】
円筒状の本体７ａの上端部の外周面には、凹凸部７ｂが形成されている。この凹凸部７ｂが、上握持部３の内壁面に係止し、モーター７自体が回転することを防止する。
【００３５】
図２０はスイッチの正面図、図２１は、スイッチの平面図である。図２０及び図２１に示すように、スイッチ４ｅは、弓形状に湾曲している。中央部には凹部４ｍが形成されていて、凹部４ｍにはネジ孔４ｌが穿設されている。
【００３６】
そして、凹部４ｍより左方には左延長部４ｇがあり、右方には右延長部４ｉがある。左延長部４ｇの下面の中央部には左凸部４ｊが設けてあり、右延長部の下面の中央部には右凸部４ｋが設けられている。
【００３７】
図２２は、本発明である振動式あんま器のスイッチを切った状態を示した平面図である。スイッチ４ｅは、スイッチ部４の本体４ａに凹部４ｍの個所で、ネジ４ｂとネジ４ｂに螺合するナット４ｆにより固定されている。
【００３８】
図２２に示すように、スイッチ４ｅを本体４ａに固定する際、スイッチ４ｅと本体４ａ間には、上握持部３の本体３ａの螺合部３ｃが挟まれた状態となり、前記本体３ａのスイッチ孔３ｆに凹部４ｍを通し本体４ａに固定する。
【００３９】
スイッチ部４を矢印Ａの方向に動かした場合には、スイッチ４ｅの右凸部４ｋは、本体３ａに設けられた右貫通孔３ｈに入り込み、反対側の左凸部４ｊは、左貫通孔３ｇより外れる。この状態では、接触板７ｆは、矢印Ｂの方向へ向いているため、モータースイッチ７ｅと接触することはなく電気が流れないので、モーター７は駆動しない。
【００４０】
図２３は、振動式あんま器のスイッチを入れた状態を示した平面図である。スイッチ部４の本体４ａを矢印Ｃの方向に動かした場合、左延長部４ｇに形成されている左凸部４ｊが、上握持部３の螺合部３ｃに穿設されている左貫通孔３ｇに入り込み、反対側の右延長部４ｉの右凸部４ｋは、右貫通孔３ｈより外れている。
【００４１】
この状態では、右貫通孔３ｈより外れた右凸部４ｋが、右延長部４ｉを内方へ押し上げ、持ち上がった右延長部４ｉの先端が、接触板７ｆを矢印Ｄの方向へ押し出し、モータースイッチ７ｅへ接触させ通電状態となるために電気が流れモーター７が駆動し始め、振動指圧部２が振動する。振動指圧部２の振動を停止する場合には、本体４ａを矢印Ａ方向に回動させる。
【００４２】
上握持部３、スイッチ部４及び下握持部５の外周面は、小さな凹凸が形成されている。このように、上握持部３、スイッチ部４及び下握持部５の外周面に小さな凹凸が形成されているのは、本発明である振動式あんま器１を握っても、手から滑り落ちることがないようにするためである。
【００４３】
【発明の効果】
本発明は、以上に説明したような構成であるから以下の効果が得られる。第１に、振動を発生させる方法がスイッチ式であるため、従来の力を入れて振動を起こさせることがないため、余計な力を使わずに使用できる。
【００４４】
第２に、本発明である振動式あんま器は、上下に異なった大きさの指圧部を持つため、一台で体の様々な部分のマッサージ及び指圧に対応できる。従って、使用箇所に応じた器具を買いそろえる必要がない。
【００４５】
第３に、疲れた個所のツボに確実に当てて指圧及マッサージをすることができるので、確実に疲れを取り除くことができる。
【図面の簡単な説明】
【図１】本発明である振動式あんま器の正面図である。
【図２】本発明である振動式あんま器の断面図である。
【図３】本発明である振動式あんま器の分解図である。
【図４】本発明である振動式あんま器の振動指圧部の正面図である。
【図５】本発明である振動式あんま器の振動指圧部の底面図である。
【図６】本発明である振動式あんま器の振動指圧部の断面図である。
【図７】本発明である振動式あんま器の上握持部の正面図である。
【図８】本発明である振動式あんま器の上握持部の底面図である。
【図９】本発明である振動式あんま器の上握持部の断面図である。
【図１０】本発明である振動式あんま器のスイッチ部の正面図である。
【図１１】本発明である振動式あんま器のスイッチ部の底面図である。
【図１２】本発明である振動式あんま器のスイッチ部の断面図である。
【図１３】本発明である振動式あんま器の下握持部の正面図である。
【図１４】本発明である振動式あんま器の下握持部の底面図である。
【図１５】本発明である振動式あんま器の下握持部の縦断面図である。
【図１６】本発明である振動式あんま器の指圧部の正面図である。
【図１７】本発明である振動式あんま器の指圧部の平面図である。
【図１８】本発明である振動式あんま器の指圧部の断面図である。
【図１９】本発明である振動式あんま器のモーターの正面図である。
【図２０】本発明である振動式あんま器のスイッチの正面図である。
【図２１】本発明である振動式あんま器のスイッチの平面図である。
【図２２】本発明である振動式あんま器のスイッチを切った状態を示した平面図である。
【図２３】本発明である振動式あんま器のスイッチを入れた状態を示した平面図である。
【符号の説明】
１　　　振動式あんま器
２　　　振動指圧部
２ａ　　押圧部
２ｂ　　外周部
２ｃ　　螺合部
２ｄ　　中空
３　　　上握持部
３ａ　　本体
３ｂ　　垂下部
３ｃ　　螺合部
３ｄ　　中空
３ｅ　　ネジ山
３ｆ　　スイッチ孔
３ｇ　　左貫通孔
３ｈ　　右貫通孔
４　　　スイッチ部
４ａ　　本体
４ｂ　　ネジ
４ｃ　　内部
４ｄ　　段差
４ｅ　　スイッチ
４ｆ　　ナット
４ｇ　　左延長部
４ｈ　　段差
４ｉ　　右延長部
４ｊ　　左凸部
４ｋ　　右凸部
４ｌ　　ネジ孔
４ｍ　　凹部
５　　　下握持部
５ａ　　本体
５ｂ　　起立部
５ｃ　　下螺合部
５ｄ　　内部
５ｅ　　上螺合部
６　　　指圧部
６ａ　　本体
６ｂ　　傾斜部
６ｃ　　押圧部
６ｄ　　段差部
６ｅ　　スプリング
６ｆ　　螺合部
６ｇ　　内部
６ｈ　　取付部材
７　　　モーター
７ａ　　本体
７ｂ　　凹凸部
７ｃ　　重り
７ｄ　　回転軸
７ｅ　　通電部
８　　　電池
【図１】
2004057570.tif 000003
【図２】
2004057570.tif 000004
【図３】
2004057570.tif 000005
【図４】
2004057570.tif 000006
【図５】
2004057570.tif 000007
【図６】
2004057570.tif 000008
【図７】
2004057570.tif 000009
【図８】
2004057570.tif 000010
【図９】
2004057570.tif 000011
【図１０】
2004057570.tif 000012
【図１１】
2004057570.tif 000013
【図１２】
2004057570.tif 000014
【図１３】
2004057570.tif 000015
【図１４】
2004057570.tif 000016
【図１５】
2004057570.tif 000017
【図１６】
2004057570.tif 000018
【図１７】
2004057570.tif 000019
【図１８】
2004057570.tif 000020
【図１９】
2004057570.tif 000021
【図２０】
2004057570.tif 000022
【図２１】
2004057570.tif 000023
【図２２】
2004057570.tif 000024
【図２３】
2004057570.tif 000025